【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、
前記サーバは、
送信側通信端末から送信された任意の送信画像を受信して記憶する画像記憶手段と、
前記送信画像に合成される複数の付加情報を記憶する付加情報記憶手段と、
前記送信側通信端末の指示によって送信画像に合成される付加情報を任意に選択する付加情報選択手段と、
通信対象となる受信側通信端末に端末情報を送付することを要求する端末情報要求手段と、
前記受信側通信端末から送付された前記端末情報を受信する端末情報取得手段と、
前記端末情報に対応して前記送信画像および付加情報それぞれの画像特性を変換した後に両者を合成する付加情報合成手段と、
合成した合成画像を前記受信側通信端末に送信する合成画像送信手段と
を有し、
前記通信対象となる受信側通信端末にて最適に表示されるように送信画像および付加情報それぞれの画像特性を変換してから合成した画像を送受信することを特徴とする通信装置。
【請求項２】
ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、
前記サーバは、
送信側通信端末から送信された任意の送信画像を受信して記憶する画像記憶手段と、
前記送信画像に合成される複数の付加情報および前記それぞれの付加情報に対して画像特性を異ならせた付加情報を記憶する付加情報記憶手段と、
前記送信側通信端末の指示によって送信画像に合成される付加情報を任意に選択する付加情報選択手段と、
受信側通信端末に端末情報を送付することを要求する端末情報要求手段と、
前記受信側通信端末から送付された前記端末情報を受信する端末情報取得手段と、
前記送信側通信端末の指示によって選択された任意の付加情報のうち前記端末情報に対応して前記受信側通信端末に最も適した付加情報を選択する付加情報選択手段と、
前記端末情報に対応して前記送信画像の画像特性を変換した後に前記選択した付加情報を合成する付加情報合成手段と、
合成した合成画像を前記受信側通信端末に送信する合成画像送信手段と
を有し、
前記通信対象となる受信側通信端末にて最適に表示されるように送信画像の画像特性を変換し、付加情報を選択してから両者を合成した画像を送受信することを特徴とする通信装置。
【請求項３】
ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、
前記サーバは、
送信側通信端末から送信された任意の送信画像を受信して記憶する画像記憶手段と、
前記送信画像に合成される複数の付加情報を記憶する付加情報記憶手段と、
前記送信側通信端末の指示によって送信画像に合成される付加情報を任意に選択する付加情報選択手段と、
通信対象となる受信側通信端末に端末情報を送付することを要求する端末情報要求手段と、
前記受信側通信端末から送付された前記端末情報を受信する端末情報取得手段と、
前記送信画像の特徴を検出する画像特徴検出手段と、
前記端末情報に対応して前記送信画像および付加情報それぞれの画像特性を変換した後に前記送信画像の特徴に応じて決定した前記付加情報の前記送信画像への合成位置に前記付加情報を合成する付加情報合成手段と、
合成した合成画像を前記受信側通信端末に送信する合成画像送信手段と
を有し、
前記通信対象となる受信側通信端末にて最適に表示されるように送信画像および付加情報それぞれの画像特性を変換してから合成して画像を送受信することを特徴とする通信装置。
【請求項４】
ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、
前記サーバは、
送信側通信端末から送信された任意の送信画像を受信して記憶する画像記憶手段と、
前記送信画像に合成される複数の付加情報および前記それぞれの付加情報に対して画像特性を異ならせた付加情報を記憶する付加情報記憶手段と、
前記送信側通信端末の指示によって送信画像に合成される付加情報を任意に選択する付加情報選択手段と、
通信対象となる受信側通信端末に端末情報を送付することを要求する端末情報要求手段と、
前記受信側通信端末から送付された前記端末情報を受信する端末情報取得手段と、
前記送信側通信端末の指示によって選択された任意の付加情報のうち前記端末情報に対応する最も受信側通信端末に適した付加情報を選択する付加情報選択手段と、
前記送信画像の特徴を検出する画像特徴検出手段と、
前記端末情報に対応して前記送信画像の画像特性を変換した後に前記送信画像の特徴に応じて決定した前記付加情報の前記送信画像への合成位置に前記選択した付加情報を合成する付加情報合成手段と、
合成した合成画像を前記受信側通信端末に送信する合成画像送信手段と
を有し、
前記通信対象となる受信側通信端末にて最適に表示されるように送信画像の画像特性を変換し、付加情報を選択してから両者を合成した画像を送受信することを特徴とする通信装置。
【請求項５】
前記画像特徴検出手段は、送信画像中の人物の大きさやその位置あるいはその動きを検出することを特徴とする請求項３または請求項４いずれかに記載の通信装置。
【請求項６】
前記画像特徴検出手段は、送信画像中の人物の顔またはその他の構成要素の大きさおよびその位置を検出することを特徴とする請求項３または請求項４いずれかに記載の通信装置。
【請求項７】
前記画像特徴検出手段は、送信画像中の人物の肌の色も検出することにより画像特性を変換する際に人物の肌の色を損なわないようにすることを特徴とする請求項５または請求項６いずれかに記載の通信装置。
【請求項８】
ネットワークに接続されたサーバと、前記サーバを介してそれぞれが通信可能な複数の通信端末とによって構成され、任意の通信端末からそれ以外の任意の通信端末に画像に特殊効果を加えて送信することが可能な通信装置であって、
前記サーバは、
送信側通信端末から送信された任意の送信画像を受信して記憶する画像記憶手段と、
前記送信画像に特殊効果を加えるプログラムを記憶する特殊効果記憶手段と、
前記送信側通信端末の指示によって送信画像に加える特殊効果を任意に選択する特殊効果選択手段と、
通信対象となる受信側通信端末に端末情報を送付することを要求する端末情報要求手段と、
前記受信側通信端末から送付された前記端末情報を受信する端末情報取得手段と、
前記端末情報に対応して前記送信画像の画像特性を変換した後に前記選択した特殊効果を加える特殊効果合成手段と、
特殊効果を加えた合成画像を前記受信側通信端末に送信する合成画像送信手段と
を有し、
前記通信対象となる受信側通信端末にて最適に表示されるように送信画像の画像特性を変換してから特殊効果を加えた画像を送受信することを特徴とする通信装置。
【請求項９】
前記サーバは前記送信画像の特徴を検出する画像特徴検出手段を備え、
前記検出した特徴に特殊効果を加えることを特徴とする請求項８記載の通信装置。
【請求項１０】
前記画像特徴検出手段は、送信画像中の人物の大きさやその位置あるいはその動きを検出することを特徴とする請求項９記載の通信装置。
【請求項１１】
前記画像特徴検出手段は、送信画像中の人物の顔またはその他の構成要素の大きさおよびその位置を検出することを特徴とする請求項９記載の通信装置。
【請求項１２】
ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、
前記サーバは、
送信側通信端末から送信された任意の送信画像を受信して記憶する画像記憶手段と、
前記送信画像に合成される複数の付加情報を記憶する付加情報記憶手段と、
前記送信側通信端末の指示によって送信画像に合成される付加情報を任意に選択する付加情報選択手段と、
前記送信画像と前記付加情報を合成して確認のために前記送信側通信端末に合成した画像を送信する合成画像確認手段と、
前記送信側通信端末の確認を受けて前記送信画像を通信対象となる受信側通信端末に送信する送信画像送信手段と、
前記送信側通信端末の確認を受けて前記付加情報を受信側通信端末に送信する付加情報送信手段と
を備え、
前記通信端末は、
前記合成画像確認手段から受信した合成画像を表示する画像確認手段と、
送信画像を任意に選択して前記サーバに送信する送信画像送信手段と、
前記送信画像に合成する付加情報を前記画像確認手段で確認しながら指定する付加情報指定手段と、
前記送信画像および前記付加情報の受信側通信端末への送信を指示する送信指示手段と、
前記サーバから前記送信画像を受信する画像受信手段と、
前記サーバから前記付加情報を受信する付加情報受信手段と、
前記通信対象となる受信側通信端末自身の端末情報を取得する端末情報取得手段と、
前記端末情報に対応して前記送信画像および付加情報それぞれの画像特性を変換した後に両者を合成する付加情報合成手段と、
前記付加情報合成手段で合成した合成画像を表示する表示手段と
を備え、
前記通信対象となる受信側通信端末にて最適に表示されるように、前記受信側通信端末にて送信画像および付加情報それぞれの画像特性を変換してから合成した画像を送受信することを特徴とする通信装置。
【請求項１３】
ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、
前記サーバは、
送信側通信端末から送信された任意の送信画像を受信して記憶する画像記憶手段と、
前記送信画像に合成される複数の付加情報を記憶する付加情報記憶手段と、
前記送信側通信端末の指示によって送信画像に合成される付加情報を任意に選択する付加情報選択手段と、
前記送信画像と前記付加情報を合成して確認のために前記送信側通信端末に合成した画像を送信する合成画像確認手段と、
前記送信側通信端末の確認を受けて前記送信画像を通信対象となる受信側通信端末に送信する送信画像送信手段と、
前記送信側通信端末の確認を受けて前記付加情報を受信側通信端末に送信する付加情報送信手段と
を備え、
前記通信端末は、
前記合成画像確認手段から受信した合成画像を表示する画像確認手段と、
送信画像を任意に選択して前記サーバに送信する送信画像送信手段と、
前記送信画像に合成する付加情報を前記画像確認手段で確認しながら指定する付加情報指定手段と、
前記送信画像および前記付加情報の受信側通信端末への送信を指示する送信指示手段と、
前記サーバから前記送信画像を受信する画像受信手段と、
前記サーバから前記付加情報を受信する付加情報受信手段と、
前記通信対象となる受信側通信端末自身の端末情報を取得する端末情報取得手段と、
前記送信画像の特徴を検出する画像特徴検出手段と、
前記端末情報に対応して前記送信画像および付加情報それぞれの画像特性を変換した後に前記送信画像の特徴に応じて決定した前記付加情報の前記送信画像への合成位置に前記付加情報を合成する付加情報合成手段と、
付加情報合成手段で合成した合成画像を表示する表示手段と
を備え、
前記通信対象となる受信側通信端末にて最適に表示されるように、前記受信側通信端末にて送信画像および付加情報それぞれの画像特性を変換してから合成した画像を送受信することを特徴とする通信装置。
【請求項１４】
前記画像特徴検出手段は、送信画像中の人物の大きさやその位置あるいはその動きを検出することを特徴とする請求項１３記載の通信装置。
【請求項１５】
前記画像特徴検出手段は、送信画像中の人物の顔またはその他の構成要素の大きさおよびその位置を検出することを特徴とする請求項１３記載の通信装置。
【請求項１６】
前記画像特徴検出手段は、送信画像中の人物の肌の色をも検出することにより画像特性を変換する際に人物の肌の色を損なわないようにすることを特徴とする請求項１４または請求項１５いずれかに記載の通信装置。
【請求項１７】
ネットワークに接続されたサーバと、前記サーバを介してそれぞれが通信可能な複数の通信端末とによって構成され、任意の通信端末からそれ以外の任意の通信端末に画像に特殊効果を加えて送信することが可能な通信装置であって、
前記サーバは、
送信側通信端末から送信された任意の送信画像を受信して記憶する画像記憶手段と、
前記送信画像に特殊効果を加えるプログラムを記憶する特殊効果記憶手段と、
前記送信側通信端末の指示によって送信画像に加える特殊効果を任意に選択する特殊効果選択手段と、
前記送信画像に特殊効果を加えて確認のために前記送信側通信端末に合成した画像を送信する合成画像確認手段と、
前記送信側通信端末の確認を受けて前記送信画像を通信対象となる受信側通信端末に送信する送信画像送信手段と、
前記前記送信画像に特殊効果を加えるプログラムを受信側通信端末に送信する付加情報送信手段と
を備え、
前記通信端末は、
前記合成画像確認手段から受信した合成画像を表示する画像確認手段と、
送信画像を任意に選択して前記サーバに送信する送信画像送信手段と、
前記送信画像に加える特殊効果を前記画像確認手段で確認しながら指定する特殊効果指定手段と、
前記送信画像および前記送信画像に特殊効果を加えるプログラムの前記受信側通信端末への送信を指示する送信指示手段と、
前記サーバから前記送信画像を受信する画像受信手段と、
前記サーバから前記送信画像に特殊効果を加えるプログラムを受信する付加情報受信手段と、
前記通信対象となる受信側通信端末自身の端末情報を取得する端末情報取得手段と、
前記端末情報に対応して前記送信画像の画像特性を変換した後に前記選択した特殊効果を加える特殊効果合成手段と、
特殊効果合成手段で特殊効果を加えた合成画像を表示する表示手段と
を備え、
前記通信対象となる受信側通信端末にて最適に表示されるように送信画像の画像特性を変換してから特殊効果を加えた画像を送受信することを特徴とする通信装置。
【請求項１８】
前記通信端末に、ネットワークに接続され、ネットワーク上から前記付加情報合成手段において前記端末情報に対応して前記送信画像および付加情報それぞれの画像特性を変換した後に両者を合成するプログラムを取得するプログラムダウンロード手段を有することを特徴とする請求項１２記載の通信装置。
【請求項１９】
前記通信端末に、ネットワークに接続され、ネットワーク上から前記端末情報に対応して前記送信画像および付加情報それぞれの画像特性を変換した後に前記送信画像の特徴に応じて決定した前記付加情報の前記送信画像への合成位置に前記付加情報を合成するプログラムを取得するプログラムダウンロード手段を有することを特徴とする請求項１３または請求項１４または請求項１５または請求項１６いずれかに記載の通信装置。
【請求項２０】
前記通信端末に、ネットワークに接続され、ネットワーク上から前記特殊効果合成手段において前記端末情報に対応して前記送信画像の画像特性を変換した後に前記選択した特殊効果を加えるプログラムを取得するプログラムダウンロード手段を有することを特徴とする請求項１７記載の通信装置。
【請求項２１】
ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、
前記サーバは、
送信側通信端末から送信された任意の送信画像を受信して記憶する画像記憶手段と、
前記送信画像に合成される複数の付加情報を記憶する付加情報記憶手段と、
前記送信側通信端末の指示によって送信画像に合成される付加情報を任意に選択する付加情報選択手段と、
前記送信画像と前記付加情報を合成して確認のために前記送信側通信端末に合成した画像を送信する合成画像確認手段と、
前記送信画像，前記付加情報および前記送信画像と前記付加情報を受信側端末装置の性能に応じて変換した後に合成するプログラムを送信する付加情報合成プログラム送信手段と
を備え、
前記通信端末は、
前記合成画像確認手段から受信した合成画像を表示する画像確認手段と、
送信画像を任意に選択して前記サーバに送信する送信画像送信手段と、
前記送信画像に合成する付加情報を前記画像確認手段で確認しながら指定する付加情報指定手段と、
前記送信画像および前記送信画像と前記付加情報を受信側端末装置の性能に応じて変換した後に合成するプログラムの前記受信側通信端末への送信を指示する送信指示手段と、
前記通信対象となる受信側通信端末自身の端末情報を取得する端末情報取得手段と、
前記送信画像と前記付加情報を受信側端末装置の性能に応じて変換した後に合成するプログラムを受信して前記送信画像と前記付加情報の画像特性を前記端末情報に応じて変換した後に合成する付加情報合成プログラム実行手段と、
前記付加情報合成プログラム実行手段で合成した合成画像を表示する表示手段と
を備え、
前記通信対象となる受信側通信端末にて最適に表示されるように、前記受信側通信端末にて送信画像および付加情報それぞれの画像特性を変換してから合成した画像を送受信することを特徴とする通信装置。
【請求項２２】
ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、
前記サーバは、
送信側通信端末から送信された任意の送信画像を受信して記憶する画像記憶手段と、
前記送信画像に合成される複数の付加情報を記憶する付加情報記憶手段と、
前記送信側通信端末の指示によって送信画像に合成される付加情報を任意に選択する付加情報選択手段と、
前記送信画像と前記付加情報を合成して確認のために前記送信側通信端末に合成した画像を送信する合成画像確認手段と、
前記送信画像，前記付加情報および前記送信画像と前記付加情報を受信側端末装置の性能に応じて変換した後に合成するプログラムを受信側通信端末送信する付加情報合成プログラム送信手段と
を備え、
前記通信端末は、
前記合成画像確認手段から受信した合成画像を表示する画像確認手段と、
送信画像を任意に選択して前記サーバに送信する送信画像送信手段と、
前記送信画像に合成する付加情報を前記画像確認手段で確認しながら指定する付加情報指定手段と、
前記送信画像および前記送信画像と前記付加情報を受信側端末装置の性能に応じて変換した後に合成するプログラムの前記受信側通信端末への送信を指示する送信指示手段と、
前記通信対象となる受信側通信端末自身の端末情報を取得する端末情報取得手段と、
前記送信画像の特徴を検出する画像特徴検出手段と、
前記送信画像と前記付加情報を受信側端末装置の性能に応じて変換した後に合成するプログラムを受信して前記送信画像と前記付加情報の画像特性を前記送信画像の特徴に応じて決定した前記付加情報の前記送信画像への合成位置に前記端末情報に応じて前記付加情報を合成する付加情報合成プログラム実行手段と、
前記付加情報合成プログラム実行手段で合成した合成画像を表示する表示手段と
を備え、
前記通信対象となる受信側通信端末にて最適に表示されるように、前記受信側通信端末にて送信画像および付加情報それぞれの画像特性を変換してから合成した画像を送受信することを特徴とする通信装置。
【請求項２３】
前記画像特徴検出手段は、送信画像中の人物の大きさやその位置あるいはその動きを検出することを特徴とする請求項２２記載の通信装置。
【請求項２４】
前記画像特徴検出手段は、送信画像中の人物の顔またはその他の構成要素の大きさおよびその位置を検出することを特徴とする請求項２２記載の通信装置。
【請求項２５】
前記画像特徴検出手段は、送信画像中の人物の肌の色をも検出することにより画像特性を変換する際に人物の肌の色を損なわないようにすることを特徴とする請求項２３または請求項２４いずれかに記載の通信装置。
【請求項２６】
ネットワークに接続されたサーバと、前記サーバを介してそれぞれが通信可能な複数の通信端末とによって構成され、任意の通信端末からそれ以外の任意の通信端末に画像に特殊効果を加えて送信することが可能な通信装置であって、
前記サーバは、
送信側通信端末から送信された任意の送信画像を受信して記憶する画像記憶手段と、
前記送信画像に特殊効果を加えるプログラムを記憶する特殊効果記憶手段と、
前記送信側通信端末の指示によって送信画像に加える特殊効果を任意に選択する特殊効果選択手段と、
前記送信画像に特殊効果を加えて確認のために前記送信側通信端末に合成した画像を送信する合成画像確認手段と、
前記送信画像および前記送信画像を受信側端末装置の性能に応じて変換した後合成するプログラムを送信する付加情報合成プログラム送信手段と
を備え、
前記通信端末は、
前記合成画像確認手段から受信した合成画像を表示する画像確認手段と、
送信画像を任意に選択して前記サーバに送信する送信画像送信手段と、
前記送信画像に加える特殊効果を前記画像確認手段で確認しながら指定する付加情報指定手段と、
前記送信画像および前記送信画像を受信側端末装置の性能に応じて変換した後に前記指定した特殊効果を加えるプログラムの前記受信側通信端末への送信を指示する送信指示手段と、
前記通信対象となる受信側通信端末自身の端末情報を取得する端末情報取得手段と、
前記送信画像を受信側端末装置の性能に応じて変換した後に前記指定した特殊効果を加えるプログラムを受信して前記送信画像を前記端末情報に対応して変換した後に前記選択した特殊効果を加える付加情報合成プログラム実行手段と、
前記付加情報合成プログラム実行手段で特殊効果を加えた合成画像を表示する表示手段と
を備え、
前記通信対象となる受信側通信端末にて最適に表示されるように送信画像の画像特性を変換してから特殊効果を加えた画像を送受信することを特徴とする通信装置。
【手続補正２】
【補正対象書類名】明細書
【補正対象項目名】００１３
【補正方法】変更
【補正の内容】
【００１３】
【課題を解決するための手段】
上記目的を達成するために、本発明の請求項１記載の通信装置は、ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、前記サーバは、送信側通信端末から送信された任意の送信画像を受信して記憶する画像記憶手段と、前記送信画像に合成される複数の付加情報を記憶する付加情報記憶手段と、前記送信側通信端末の指示によって送信画像に合成される付加情報を任意に選択する付加情報選択手段と、通信対象となる受信側通信端末に端末情報を送付することを要求する端末情報要求手段と、前記受信側通信端末から送付された前記端末情報を受信する端末情報取得手段と、前記端末情報に対応して前記送信画像および付加情報それぞれの画像特性を変換した後に両者を合成する付加情報合成手段と、合成した合成画像を前記受信側通信端末に送信する合成画像送信手段とを有し、前記通信対象となる受信側通信端末にて最適に表示されるように送信画像および付加情報それぞれの画像特性を変換してから合成した画像を送受信することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】変更
【補正の内容】
【００３８】
請求項２記載の通信装置は、ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、前記サーバは、送信側通信端末から送信された任意の送信画像を受信して記憶する画像記憶手段と、前記送信画像に合成される複数の付加情報および前記それぞれの付加情報に対して画像特性を異ならせた付加情報を記憶する付加情報記憶手段と、前記送信側通信端末の指示によって送信画像に合成される付加情報を任意に選択する付加情報選択手段と、受信側通信端末に端末情報を送付することを要求する端末情報要求手段と、前記受信側通信端末から送付された前記端末情報を受信する端末情報取得手段と、前記送信側通信端末の指示によって選択された任意の付加情報のうち前記端末情報に対応して前記受信側通信端末に最も適した付加情報を選択する付加情報選択手段と、前記端末情報に対応して前記送信画像の画像特性を変換した後に前記選択した付加情報を合成する付加情報合成手段と、合成した合成画像を前記受信側通信端末に送信する合成画像送信手段とを有し、前記通信対象となる受信側通信端末にて最適に表示されるように送信画像の画像特性を変換し、付加情報を選択してから両者を合成した画像を送受信することを特徴とする。
【手続補正２８】
【補正対象書類名】明細書
【補正対象項目名】００３９
【補正方法】変更
【補正の内容】
【００３９】
請求項３記載の通信装置は、ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、前記サーバは、送信側通信端末から送信された任意の送信画像を受信して記憶する画像記憶手段と、前記送信画像に合成される複数の付加情報を記憶する付加情報記憶手段と、前記送信側通信端末の指示によって送信画像に合成される付加情報を任意に選択する付加情報選択手段と、通信対象となる受信側通信端末に端末情報を送付することを要求する端末情報要求手段と、前記受信側通信端末から送付された前記端末情報を受信する端末情報取得手段と、前記送信画像の特徴を検出する画像特徴検出手段と、前記端末情報に対応して前記送信画像および付加情報それぞれの画像特性を変換した後に前記送信画像の特徴に応じて決定した前記付加情報の前記送信画像への合成位置に前記付加情報を合成する付加情報合成手段と、合成した合成画像を前記受信側通信端末に送信する合成画像送信手段とを有し、前記通信対象となる受信側通信端末にて最適に表示されるように送信画像および付加情報それぞれの画像特性を変換してから合成して画像を送受信することを特徴とする。
【手続補正２９】
【補正対象書類名】明細書
【補正対象項目名】００４０
【補正方法】変更
【補正の内容】
【００４０】
請求項４記載の通信装置は、ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、前記サーバは、送信側通信端末から送信された任意の送信画像を受信して記憶する画像記憶手段と、前記送信画像に合成される複数の付加情報および前記それぞれの付加情報に対して画像特性を異ならせた付加情報を記憶する付加情報記憶手段と、前記送信側通信端末の指示によって送信画像に合成される付加情報を任意に選択する付加情報選択手段と、通信対象となる受信側通信端末に端末情報を送付することを要求する端末情報要求手段と、前記受信側通信端末から送付された前記端末情報を受信する端末情報取得手段と、前記送信側通信端末の指示によって選択された任意の付加情報のうち前記端末情報に対応する最も受信側通信端末に適した付加情報を選択する付加情報選択手段と、前記送信画像の特徴を検出する画像特徴検出手段と、前記端末情報に対応して前記送信画像の画像特性を変換した後に前記送信画像の特徴に応じて決定した前記付加情報の前記送信画像への合成位置に前記選択した付加情報を合成する付加情報合成手段と、合成した合成画像を前記受信側通信端末に送信する合成画像送信手段とを有し、前記通信対象となる受信側通信端末にて最適に表示されるように送信画像の画像特性を変換し、付加情報を選択してから両者を合成した画像を送受信することを特徴とする。
【手続補正３０】
【補正対象書類名】明細書
【補正対象項目名】００４１
【補正方法】変更
【補正の内容】
【００４１】
請求項５記載の通信装置は、請求項３または請求項４記載の通信装置において、前記画像特徴検出手段は、送信画像中の人物の大きさやその位置あるいはその動きを検出することを特徴とする。
【手続補正３１】
【補正対象書類名】明細書
【補正対象項目名】００４２
【補正方法】変更
【補正の内容】
【００４２】
請求項６記載の通信装置は、請求項３または請求項４記載の通信装置において、前記画像特徴検出手段は、送信画像中の人物の顔またはその他の構成要素の大きさおよびその位置を検出することを特徴とする。
【手続補正３２】
【補正対象書類名】明細書
【補正対象項目名】００４３
【補正方法】変更
【補正の内容】
【００４３】
請求項７記載の通信装置は、請求項５または請求項６記載の通信装置において、前記画像特徴検出手段は、送信画像中の人物の肌の色も検出することにより画像特性を変換する際に人物の肌の色を損なわないようにすることを特徴とする。
【手続補正３３】
【補正対象書類名】明細書
【補正対象項目名】００４４
【補正方法】変更
【補正の内容】
【００４４】
請求項８記載の通信装置は、ネットワークに接続されたサーバと、前記サーバを介してそれぞれが通信可能な複数の通信端末とによって構成され、任意の通信端末からそれ以外の任意の通信端末に画像に特殊効果を加えて送信することが可能な通信装置であって、前記サーバは、送信側通信端末から送信された任意の送信画像を受信して記憶する画像記憶手段と、前記送信画像に特殊効果を加えるプログラムを記憶する特殊効果記憶手段と、前記送信側通信端末の指示によって送信画像に加える特殊効果を任意に選択する特殊効果選択手段と、通信対象となる受信側通信端末に端末情報を送付することを要求する端末情報要求手段と、前記受信側通信端末から送付された前記端末情報を受信する端末情報取得手段と、前記端末情報に対応して前記送信画像の画像特性を変換した後に前記選択した特殊効果を加える特殊効果合成手段と、特殊効果を加えた合成画像を前記受信側通信端末に送信する合成画像送信手段とを有し、前記通信対象となる受信側通信端末にて最適に表示されるように送信画像の画像特性を変換してから特殊効果を加えた画像を送受信することを特徴とする。
【手続補正３４】
【補正対象書類名】明細書
【補正対象項目名】００４５
【補正方法】変更
【補正の内容】
【００４５】
請求項９記載の通信装置は、請求項８記載の通信装置において、前記サーバは前記送信画像の特徴を検出する画像特徴検出手段を備え、前記検出した特徴に特殊効果を加えることを特徴とする。
【手続補正３５】
【補正対象書類名】明細書
【補正対象項目名】００４６
【補正方法】変更
【補正の内容】
【００４６】
請求項１０記載の通信装置は、請求項９記載の通信装置において、前記画像特徴検出手段は、送信画像中の人物の大きさやその位置あるいはその動きを検出することを特徴とする。
【手続補正３６】
【補正対象書類名】明細書
【補正対象項目名】００４７
【補正方法】変更
【補正の内容】
【００４７】
請求項１１記載の通信装置は、請求項９記載の通信装置において、前記画像特徴検出手段は、送信画像中の人物の顔またはその他の構成要素の大きさおよびその位置を検出することを特徴とする。
【手続補正３７】
【補正対象書類名】明細書
【補正対象項目名】００４８
【補正方法】変更
【補正の内容】
【００４８】
請求項１２記載の通信装置は、ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、前記サーバは、送信側通信端末から送信された任意の送信画像を受信して記憶する画像記憶手段と、前記送信画像に合成される複数の付加情報を記憶する付加情報記憶手段と、前記送信側通信端末の指示によって送信画像に合成される付加情報を任意に選択する付加情報選択手段と、前記送信画像と前記付加情報を合成して確認のために前記送信側通信端末に合成した画像を送信する合成画像確認手段と、前記送信側通信端末の確認を受けて前記送信画像を通信対象となる受信側通信端末に送信する送信画像送信手段と、前記送信側通信端末の確認を受けて前記付加情報を受信側通信端末に送信する付加情報送信手段とを備え、前記通信端末は、前記合成画像確認手段から受信した合成画像を表示する画像確認手段と、送信画像を任意に選択して前記サーバに送信する送信画像送信手段と、前記送信画像に合成する付加情報を前記画像確認手段で確認しながら指定する付加情報指定手段と、前記送信画像および前記付加情報の受信側通信端末への送信を指示する送信指示手段と、前記サーバから前記送信画像を受信する画像受信手段と、前記サーバから前記付加情報を受信する付加情報受信手段と、前記通信対象となる受信側通信端末自身の端末情報を取得する端末情報取得手段と、前記端末情報に対応して前記送信画像および付加情報それぞれの画像特性を変換した後に両者を合成する付加情報合成手段と、前記付加情報合成手段で合成した合成画像を表示する表示手段とを備え、前記通信対象となる受信側通信端末にて最適に表示されるように、前記受信側通信端末にて送信画像および付加情報それぞれの画像特性を変換してから合成した画像を送受信することを特徴とする。
【手続補正３８】
【補正対象書類名】明細書
【補正対象項目名】００４９
【補正方法】変更
【補正の内容】
【００４９】
請求項１３記載の通信装置は、ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、前記サーバは、送信側通信端末から送信された任意の送信画像を受信して記憶する画像記憶手段と、前記送信画像に合成される複数の付加情報を記憶する付加情報記憶手段と、前記送信側通信端末の指示によって送信画像に合成される付加情報を任意に選択する付加情報選択手段と、前記送信画像と前記付加情報を合成して確認のために前記送信側通信端末に合成した画像を送信する合成画像確認手段と、前記送信側通信端末の確認を受けて前記送信画像を通信対象となる受信側通信端末に送信する送信画像送信手段と、前記送信側通信端末の確認を受けて前記付加情報を受信側通信端末に送信する付加情報送信手段とを備え、前記通信端末は、前記合成画像確認手段から受信した合成画像を表示する画像確認手段と、送信画像を任意に選択して前記サーバに送信する送信画像送信手段と、前記送信画像に合成する付加情報を前記画像確認手段で確認しながら指定する付加情報指定手段と、前記送信画像および前記付加情報の受信側通信端末への送信を指示する送信指示手段と、前記サーバから前記送信画像を受信する画像受信手段と、前記サーバから前記付加情報を受信する付加情報受信手段と、前記通信対象となる受信側通信端末自身の端末情報を取得する端末情報取得手段と、前記送信画像の特徴を検出する画像特徴検出手段と、前記端末情報に対応して前記送信画像および付加情報それぞれの画像特性を変換した後に前記送信画像の特徴に応じて決定した前記付加情報の前記送信画像への合成位置に前記付加情報を合成する付加情報合成手段と、付加情報合成手段で合成した合成画像を表示する表示手段とを備え、前記通信対象となる受信側通信端末にて最適に表示されるように、前記受信側通信端末にて送信画像および付加情報それぞれの画像特性を変換してから合成した画像を送受信することを特徴とする。
【手続補正３９】
【補正対象書類名】明細書
【補正対象項目名】００５０
【補正方法】変更
【補正の内容】
【００５０】
請求項１４記載の通信装置は、請求項１３記載の通信装置において、前記画像特徴検出手段は、送信画像中の人物の大きさやその位置あるいはその動きを検出することを特徴とする。
【手続補正４０】
【補正対象書類名】明細書
【補正対象項目名】００５１
【補正方法】変更
【補正の内容】
【００５１】
請求項１５記載の通信装置は、請求項１３記載の通信装置において、前記画像特徴検出手段は、送信画像中の人物の顔またはその他の構成要素の大きさおよびその位置を検出することを特徴とする。
【手続補正４１】
【補正対象書類名】明細書
【補正対象項目名】００５２
【補正方法】変更
【補正の内容】
【００５２】
請求項１６記載の通信装置は、請求項１４または請求項１５記載の通信装置において、前記画像特徴検出手段は、送信画像中の人物の肌の色をも検出することにより画像特性を変換する際に人物の肌の色を損なわないようにすることを特徴とする。
【手続補正４２】
【補正対象書類名】明細書
【補正対象項目名】００５３
【補正方法】変更
【補正の内容】
【００５３】
請求項１７記載の通信装置は、ネットワークに接続されたサーバと、前記サーバを介してそれぞれが通信可能な複数の通信端末とによって構成され、任意の通信端末からそれ以外の任意の通信端末に画像に特殊効果を加えて送信することが可能な通信装置であって、前記サーバは、送信側通信端末から送信された任意の送信画像を受信して記憶する画像記憶手段と、前記送信画像に特殊効果を加えるプログラムを記憶する特殊効果記憶手段と、前記送信側通信端末の指示によって送信画像に加える特殊効果を任意に選択する特殊効果選択手段と、前記送信画像に特殊効果を加えて確認のために前記送信側通信端末に合成した画像を送信する合成画像確認手段と、前記送信側通信端末の確認を受けて前記送信画像を通信対象となる受信側通信端末に送信する送信画像送信手段と、前記前記送信画像に特殊効果を加えるプログラムを受信側通信端末に送信する付加情報送信手段とを備え、前記通信端末は、前記合成画像確認手段から受信した合成画像を表示する画像確認手段と、送信画像を任意に選択して前記サーバに送信する送信画像送信手段と、前記送信画像に加える特殊効果を前記画像確認手段で確認しながら指定する特殊効果指定手段と、前記送信画像および前記送信画像に特殊効果を加えるプログラムの前記受信側通信端末への送信を指示する送信指示手段と、前記サーバから前記送信画像を受信する画像受信手段と、前記サーバから前記送信画像に特殊効果を加えるプログラムを受信する付加情報受信手段と、前記通信対象となる受信側通信端末自身の端末情報を取得する端末情報取得手段と、前記端末情報に対応して前記送信画像の画像特性を変換した後に前記選択した特殊効果を加える特殊効果合成手段と、特殊効果合成手段で特殊効果を加えた合成画像を表示する表示手段とを備え、前記通信対象となる受信側通信端末にて最適に表示されるように送信画像の画像特性を変換してから特殊効果を加えた画像を送受信することを特徴とする。
【手続補正４３】
【補正対象書類名】明細書
【補正対象項目名】００５４
【補正方法】変更
【補正の内容】
【００５４】
請求項１８記載の通信装置は、請求項１２記載の通信装置において、前記通信端末に、ネットワークに接続され、ネットワーク上から前記付加情報合成手段において前記端末情報に対応して前記送信画像および付加情報それぞれの画像特性を変換した後に両者を合成するプログラムを取得するプログラムダウンロード手段を有することを特徴とする。
【手続補正４４】
【補正対象書類名】明細書
【補正対象項目名】００５５
【補正方法】変更
【補正の内容】
【００５５】
請求項１９記載の通信装置は、請求項１３または請求項１４または請求項１５または請求項１６記載の通信装置において、前記通信端末に、ネットワークに接続され、ネットワーク上から前記端末情報に対応して前記送信画像および付加情報それぞれの画像特性を変換した後に前記送信画像の特徴に応じて決定した前記付加情報の前記送信画像への合成位置に前記付加情報を合成するプログラムを取得するプログラムダウンロード手段を有することを特徴とする。
【手続補正４５】
【補正対象書類名】明細書
【補正対象項目名】００５６
【補正方法】変更
【補正の内容】
【００５６】
請求項２０記載の通信装置は、請求項１７記載の通信装置において、前記通信端末に、ネットワークに接続され、ネットワーク上から前記特殊効果合成手段において前記端末情報に対応して前記送信画像の画像特性を変換した後に前記選択した特殊効果を加えるプログラムを取得するプログラムダウンロード手段を有することを特徴とする。
【手続補正４６】
【補正対象書類名】明細書
【補正対象項目名】００５７
【補正方法】変更
【補正の内容】
【００５７】
請求項２１記載の通信装置は、ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、前記サーバは、送信側通信端末から送信された任意の送信画像を受信して記憶する画像記憶手段と、前記送信画像に合成される複数の付加情報を記憶する付加情報記憶手段と、前記送信側通信端末の指示によって送信画像に合成される付加情報を任意に選択する付加情報選択手段と、前記送信画像と前記付加情報を合成して確認のために前記送信側通信端末に合成した画像を送信する合成画像確認手段と、前記送信画像，前記付加情報および前記送信画像と前記付加情報を受信側端末装置の性能に応じて変換した後に合成するプログラムを送信する付加情報合成プログラム送信手段とを備え、前記通信端末は、前記合成画像確認手段から受信した合成画像を表示する画像確認手段と、送信画像を任意に選択して前記サーバに送信する送信画像送信手段と、前記送信画像に合成する付加情報を前記画像確認手段で確認しながら指定する付加情報指定手段と、前記送信画像および前記送信画像と前記付加情報を受信側端末装置の性能に応じて変換した後に合成するプログラムの前記受信側通信端末への送信を指示する送信指示手段と、前記通信対象となる受信側通信端末自身の端末情報を取得する端末情報取得手段と、前記送信画像と前記付加情報を受信側端末装置の性能に応じて変換した後に合成するプログラムを受信して前記送信画像と前記付加情報の画像特性を前記端末情報に応じて変換した後に合成する付加情報合成プログラム実行手段と、前記付加情報合成プログラム実行手段で合成した合成画像を表示する表示手段とを備え、前記通信対象となる受信側通信端末にて最適に表示されるように、前記受信側通信端末にて送信画像および付加情報それぞれの画像特性を変換してから合成した画像を送受信することを特徴とする。
【手続補正４７】
【補正対象書類名】明細書
【補正対象項目名】００５８
【補正方法】変更
【補正の内容】
【００５８】
請求項２２記載の通信装置は、ネットワークに接続されたサーバと、前記サーバを介してそれぞれが通信可能な複数の通信端末とによって構成され、任意の通信端末からそれ以外の任意の通信端末に複数の画像を合成して送信可能な通信装置であって、前記サーバは、送信側通信端末から送信された任意の送信画像を受信して記憶する画像記憶手段と、前記送信画像に合成される複数の付加情報を記憶する付加情報記憶手段と、前記送信側通信端末の指示によって送信画像に合成される付加情報を任意に選択する付加情報選択手段と、前記送信画像と前記付加情報を合成して確認のために前記送信側通信端末に合成した画像を送信する合成画像確認手段と、前記送信画像，前記付加情報および前記送信画像と前記付加情報を受信側端末装置の性能に応じて変換した後に合成するプログラムを受信側通信端末送信する付加情報合成プログラム送信手段とを備え、前記通信端末は、前記合成画像確認手段から受信した合成画像を表示する画像確認手段と、送信画像を任意に選択して前記サーバに送信する送信画像送信手段と、前記送信画像に合成する付加情報を前記画像確認手段で確認しながら指定する付加情報指定手段と、前記送信画像および前記送信画像と前記付加情報を受信側端末装置の性能に応じて変換した後に合成するプログラムの前記受信側通信端末への送信を指示する送信指示手段と、前記通信対象となる受信側通信端末自身の端末情報を取得する端末情報取得手段と、前記送信画像の特徴を検出する画像特徴検出手段と、前記送信画像と前記付加情報を受信側端末装置の性能に応じて変換した後に合成するプログラムを受信して前記送信画像と前記付加情報の画像特性を前記送信画像の特徴に応じて決定した前記付加情報の前記送信画像への合成位置に前記端末情報に応じて前記付加情報を合成する付加情報合成プログラム実行手段と、前記付加情報合成プログラム実行手段で合成した合成画像を表示する表示手段とを備え、前記通信対象となる受信側通信端末にて最適に表示されるように、前記受信側通信端末にて送信画像および付加情報それぞれの画像特性を変換してから合成した画像を送受信することを特徴とする。
【手続補正４８】
【補正対象書類名】明細書
【補正対象項目名】００５９
【補正方法】変更
【補正の内容】
【００５９】
請求項２３記載の通信装置は、請求項２２記載の通信装置において、前記画像特徴検出手段は、送信画像中の人物の大きさやその位置あるいはその動きを検出することを特徴とする。
【手続補正４９】
【補正対象書類名】明細書
【補正対象項目名】００６０
【補正方法】変更
【補正の内容】
【００６０】
請求項２４記載の通信装置は、請求項２２記載の通信装置において、前記画像特徴検出手段は、送信画像中の人物の顔またはその他の構成要素の大きさおよびその位置を検出することを特徴とする。
【手続補正５０】
【補正対象書類名】明細書
【補正対象項目名】００６１
【補正方法】変更
【補正の内容】
【００６１】
請求項２５記載の通信装置は、請求項２３または請求項２４記載の通信装置において、前記画像特徴検出手段は、送信画像中の人物の肌の色をも検出することにより画像特性を変換する際に人物の肌の色を損なわないようにすることを特徴とする。
【手続補正５１】
【補正対象書類名】明細書
【補正対象項目名】００６２
【補正方法】変更
【補正の内容】
【００６２】
請求項２６記載の通信装置は、ネットワークに接続されたサーバと、前記サーバを介してそれぞれが通信可能な複数の通信端末とによって構成され、任意の通信端末からそれ以外の任意の通信端末に画像に特殊効果を加えて送信することが可能な通信装置であって、前記サーバは、送信側通信端末から送信された任意の送信画像を受信して記憶する画像記憶手段と、前記送信画像に特殊効果を加えるプログラムを記憶する特殊効果記憶手段と、前記送信側通信端末の指示によって送信画像に加える特殊効果を任意に選択する特殊効果選択手段と、前記送信画像に特殊効果を加えて確認のために前記送信側通信端末に合成した画像を送信する合成画像確認手段と、前記送信画像および前記送信画像を受信側端末装置の性能に応じて変換した後合成するプログラムを送信する付加情報合成プログラム送信手段とを備え、前記通信端末は、前記合成画像確認手段から受信した合成画像を表示する画像確認手段と、送信画像を任意に選択して前記サーバに送信する送信画像送信手段と、前記送信画像に加える特殊効果を前記画像確認手段で確認しながら指定する付加情報指定手段と、前記送信画像および前記送信画像を受信側端末装置の性能に応じて変換した後に前記指定した特殊効果を加えるプログラムの前記受信側通信端末への送信を指示する送信指示手段と、前記通信対象となる受信側通信端末自身の端末情報を取得する端末情報取得手段と、前記送信画像を受信側端末装置の性能に応じて変換した後に前記指定した特殊効果を加えるプログラムを受信して前記送信画像を前記端末情報に対応して変換した後に前記選択した特殊効果を加える付加情報合成プログラム実行手段と、前記付加情報合成プログラム実行手段で特殊効果を加えた合成画像を表示する表示手段とを備え、前記通信対象となる受信側通信端末にて最適に表示されるように送信画像の画像特性を変換してから特殊効果を加えた画像を送受信することを特徴とする。
【手続補正５２】
【補正対象書類名】明細書
【補正対象項目名】０１５１
【補正方法】削除
【補正の内容】
【手続補正５３】
【補正対象書類名】明細書
【補正対象項目名】０１５２
【補正方法】削除
【補正の内容】
【手続補正５４】
【補正対象書類名】明細書
【補正対象項目名】０１５３
【補正方法】変更
【補正の内容】
【０１５３】
【発明の効果】
以上のように、本発明の通信装置によると、携帯電話等の通信端末によって画像を送受信する場合、受信側の通信端末の性能に対応して画像の画像特性を変換するため、受信側の通信端末の性能に対応して任意の画像を正常に表示することができる。
【手続補正５５】
【補正対象書類名】明細書
【補正対象項目名】０１５４
【補正方法】変更
【補正の内容】
【０１５４】
また、携帯電話等の通信端末によって複数の画像を合成したり画像に加工を加えて送受信する場合に、それぞれの画像毎に受信側の通信端末の性能に対応して画像の画像特性を変換してから合成や加工等の処理を行うため、受信側の通信端末の性能に対応して任意の画像を正常に表示することができる。